(57)【要約】【課題】接触金具の形状を複雑にすることなく、また接触金具の寸法を長尺にすることなく、電線の引抜き時に鎖錠片が導体線に食い付かないようにする。【解決手段】複数の接触金具１０Ａと、これらを収納するハウジングとによりランプソケットを構成した。接触金具１０Ａは、弓状に形成されランプピンを保持するためのランプピン保持部１００ａを有する可動ばね片１００と、この長手方向の一端からランプピン保持部１００ａの裏側にＵ字状に湾曲するばね支点部１０１と、このばね支点部１０１の湾曲する先端からＬ字状に屈曲して先端部１０２ａが可動ばね片１００と対向する端子板部１０２と、ばね支点部１０１に並設されてＵ字状に湾曲する並設部１０３と、この並設部１０３における端子板部１０２側の一端からその先端部１０２ａ側に突出し、外部から挿入された導体線を先端部１０２ａとともに鎖錠する鎖錠片１０４とを一体に有する形状に形成される。【選択図】　図１
2004087293.tif 000002
【特許請求の範囲】
【請求項１】
複数の接触金具と、これら複数の接触金具をこれらにランプのランプピンを接離自在に収納するハウジングとにより構成されるランプソケットであって、
前記接触金具は、弓状に形成され中央部に前記ランプピンを保持するためのランプピン保持部を有する可動ばね片と、この可動ばね片の長手方向の一端から前記ランプピン保持部の裏側にＵ字状に湾曲するばね支点部と、このばね支点部の湾曲する先端からＬ字状に屈曲して先端部が前記可動ばね片と対向する端子板部と、前記ばね支点部に並設されてＵ字状に湾曲する並設部と、この並設部における前記端子板部側の一端からその端子板部の先端部側に突出し、外部から挿入された導体線を前記端子板部の先端部とともに鎖錠する鎖錠片とを一体に有する形状に形成される
ことを特徴とするランプソケット。
【請求項２】
前記ランプの回転に応じて前記ランプピンが前記接触金具に接離することを特徴とする請求項１記載のランプソケット。
【請求項３】
複数の接触金具と、これら複数の接触金具をこれらにランプのランプピンを接離自在に収納するハウジングとにより構成されるランプソケットであって、
前記接触金具は、一端部に対して外部から挿入された導体線を挿入するための挿入孔を有する他端部が立設されてなる固定片と、この固定片の一端部からＵ字状に湾曲するばね支点部と、前記固定片の他端部側からこの他端部に対して前記一端部側に傾斜するようにして突出し、前記挿入孔に挿入された導体線を鎖錠する鎖錠片と、前記固定片から前記他端部が立設された方向に切り起こされ前記ランプピンを保持するためのランプピン保持部を有する可動片とを一体に有する形状に形成される
ことを特徴とするランプソケット。
【請求項４】
前記接触金具は板状部材からなり、前記ランプピン保持部が前記ランプピンを保持する面と前記挿入孔に挿入された導体線が前記接触金具と当接する面とが前記板状部材の同一面にあることを特徴とする請求項３記載のランプソケット。
【請求項５】
前記板状部材は、クラッド材であり、前記ランプピンを保持する面と前記接触金具と当接する面とが有る側の材質は無い側の材質よりも電気伝導率が高く、その無い側の材質はその有る側の材質よりもばね限界値が高いことを特徴とする請求項４記載のランプソケット。
【請求項６】
前記クラッド材は、銅合金と高弾性材料とによりなることを特徴とする請求項５記載のランプソケット。
【請求項７】
前記ランプの回転に応じて前記ランプピンが前記接触金具に接離することを特徴とする請求項３から６のいずれかに記載のランプソケット。
【発明の詳細な説明】
【０００１】
【発明の属する技術分野】
本発明は、複数の接触金具と、これら複数の接触金具をこれらにランプのランプピンを接離自在に収納するハウジングとにより構成されるランプソケットに関するものである。
【０００２】
【従来の技術】
図１０は従来のランプソケットに収納される接触金具の斜視図、図１１は同接触金具の具体構成図、図１２，図１３は同接触金具を内部に収納するハウジング等を示す図、図１４，図１５は同接触金具の動作説明図である。
【０００３】
図１２，図１３において、ランプソケットは、複数（図１３では一対）の導電性の接触金具１０と、これら複数の接触金具１０をこれらにランプ（直管形蛍光ランプ）のランプピンを接離自在に収納する絶縁性のハウジング１１と、このハウジング１１に回転自在に収納されランプの回転に従動する回転子１２とにより構成されている。
【０００４】
接触金具１０は、図１０，図１１に示すように、弓状に形成され中央部にランプピンを保持するための凹状のランプピン保持部１００ａを有する可動ばね片１００と、この可動ばね片１００の長手方向の一端からランプピン保持部１００ａの裏（突）側にＵ字状に湾曲するばね支点部１０１と、このばね支点部１０１の湾曲する先端からＬ字状に屈曲して先端部１０２ａが可動ばね片１００の一部と対向する端子板部１０２と、この端子板部１０２の基端部１０２ｂから切り起こされその孔（挿入孔）１０２ｃに外部から挿入された導体線を先端部１０２ａとともに鎖錠する鎖錠片１０４とを一体に有する形状に形成されている。
【０００５】
ハウジング１１は、図１２，図１３に示すように、一の面に開口１１０ａを有する有底筒状に形成され底部に回転子１２の嵌入係止部１１０ｂが形成されたソケットボディ１１０と、このソケットボディ１１０の開口１１０ａ側に取着されるソケットカバー１１１とにより構成され、複数の接触金具１０を、これらの可動ばね片１００側を内向きに対向配置して収納した状態で、複数の接触金具１０の外側における可動ばね片１００の他端（図１３では下端）、ばね支点部１０１および端子板部１０２と当接（ないし隣接、以下同様）する当接部１１０ｃ，１１０ｄ，１１０ｅをソケットボディ１１０の内部に有している。
【０００６】
ソケットボディ１１０において、当接部１１０ｃ，１１０ｄ，１１０ｅは、ソケットボディ１１０の内部に一体成形され、そのうちの当接部１１０ｄ，１１０ｅ近傍には、ストッパ１１０ｆが電線解錠時の鎖錠片１０４の広がり変形防止用として形成されている。また、一の側面には、電線の導体線を挿入するための電線挿入孔１１０ｇが形成され、その近傍に解錠用孔１１０ｈが形成されている。
【０００７】
なお、図１２において、１１ａはランプピン挿入溝、１１ｂは回転子１２の回転時にその動きを規制するための開口部、１２ａは電気検査用孔である。また、ソケットボディ１１０およびソケットカバー１１１は、例えばポリプロピレン等の合成樹脂製である。
【０００８】
このように構成されるランプソケットのランプピン挿入溝１１ａにランプのランプピンを挿入して回転させると、図１４に示すように、接触金具１０の可動ばね片１００がランプピン１ａによって外側に押し広げられる。このとき、ばね支点部１０１が押し縮められるのでその反発力が増大し、鎖錠片１０４の先端側が当接部１１０ｅ側に移動する。
【０００９】
この場合、各鎖錠片１０４は、図１５に示すように、各電線挿入孔１１０ｇから挿入された電線２の導体線２ａを鎖錠しているので、導体線２ａに対する押圧力が高まり、保持力（耐電線引抜力）がアップする。
【００１０】
しかしながら、解錠用孔１１０ｈからピンを挿入して、いざ電線２を引き抜こうとするとき、鎖錠片１０４が導体線２ａに食い付いてしまい、解錠が困難となる原因となっていた。
【００１１】
図１６に上記課題の解決可能な従来のランプソケットを示す（実公昭５９−７７７８６号公報）。図１６のランプソケットでは、ランプピン保持部３００ａを有する可動ばね片３００からばね支点部３０１を独立させるとともに、ソケットボディ３１０側のばね支点押さえリブ３１０ａにばね支点部３０１を嵌着させている。
【００１２】
図１７に上記課題の解決可能な別の従来のランプソケットを示す（特許第３０９５３４７号公報）。図１７のランプソケットでは、可動ばね片４００の変位による応力を抑制するための折返し部４０１が設けられている。
【００１３】
図１８は従来のランプソケットに収納される接触金具の斜視図である（実開平５−１５３７８号公報）。図１８において、接触金具５０は、ランプピンを保持するための凹状のランプピン保持部５００ａを有する可動ばね片５００と、この可動ばね片５００の長手方向の一端からＵ字状に湾曲するばね支点部５０１と、このばね支点部５０１の湾曲する先端からＬ字状に屈曲し、電線の導体線２ａを挿入するための挿入孔５０２ａが先端部５０２ｂに設けられた端子板部５０２と、この端子板部５０２の先端部５０２ｂから突出し、挿入孔５０２ａに挿入された導体線２ａを鎖錠する鎖錠片５０３とを一体に有する形状に形成されている。
【００１４】
このような構造の接触金具５０では、ランプピン保持部５００ａがランプピンを保持する面と、挿入孔５０２ａに挿入された導体線２ａが接触金具５０と当接する面とが同一面にないので、電気特性と機械特性の双方の優位性を兼ね揃えたクラッド材を使用する場合、クラッド材が単純な２枚（層）の貼合せ材であるとすれば、ランプピンと導体線２ａとの間の導通経路が断たれるか導通性能が損なわれることになる。クラッド材の一方の材質が電気絶縁物でない限り、ランプピンと導体線２ａとの間の導通経路が断たれることはないが、その一方の材質がステンレス等の非銅合金材の場合、導通性能が損なわれることになる。
【００１５】
また、接触金具５０を平面に展開すると、略均一幅の長尺片となり、更なる材料の削減が望まれる。
【００１６】
図１９は別の接触金具の斜視図である。図１９において、接触金具２０は、一端部２００ａに対して外部から挿入された導体線を挿入するための挿入孔２００ｂを有する他端部２００ｃが立設されてなる固定片２００と、この固定片２００の一端部２００ａからＵ字状に湾曲するばね支点部２０１と、固定片２００の他端部２００ｃ側からこの他端部２００ｃに対して一端部２００ａ側に傾斜するようにして突出し、挿入孔２００ｂに挿入された導体線を鎖錠する鎖錠片２０２と、ばね支点部２０１の湾曲する先端に連接されランプピンを保持するためのランプピン保持部２０３ａを有する可動片２０３とを一体に有する形状に形成されている。なお、図１９において、２０４は図示しないハウジングに係合する抜止め片である。
【００１７】
このような構造の接触金具２０も、ランプピン保持部２０３ａがランプピンを保持する面と、挿入孔２００ｂに挿入された導体線が接触金具２０と当接する面とが同一面にないので、図１８と同様の問題が生じる。
【００１８】
図２０にこれら図１８，図１９に示した接触金具の問題を解決することができる接触金具の斜視図を示す（実開平５−１５３７８号公報）。この図２０に示す接触金具５０Ａは、可動ばね片５００を逆側に折り曲げている以外は図１８の接触金具５０と同様に構成される。
【００１９】
【発明が解決しようとする課題】
図１６，図１７に示した従来のランプソケットによれば、電線の引抜き時に鎖錠片が導体線に食い付いてしまい、解錠が困難となるという問題を解決することができるものの、図１６のランプソケットでは、接触金具が長尺となり、ソケットが大きく（長く）なるという別の課題が発生する一方、図１７のランプソケットでは、接触金具の形状が複雑になってしまう課題がある。
【００２０】
図２０に示した従来のランプソケットによれば、ランプピン保持部５００ａがランプピンを保持する面と、挿入孔５０２ａに挿入された導体線２ａが接触金具５０Ａと当接する面とが同一面にあるので、クラッド材を使用しても、導通経路が断たれたり、導通性能が損なわれたりすることはないが、可動ばね片５００を逆側に折り曲げたために、その分だけ寸法が大きくなり、ハウジングの寸法も大きくなってしまう。なお、ばね支点部５０１のアール部の径を代えると、ランプピン保持部５００ａの相対位置が変化してしまうので、金型作成後の大幅な半径変更はできない。
【００２１】
したがって、寸法を大きくすることなく、ランプピン保持部がランプピンを保持する面と、挿入孔に挿入された導体線が接触金具と当接する面とを同一面に位置させることができる接触金具が望まれる。
【００２２】
本発明は、上記事情に鑑みてなされたものであり、接触金具の形状を複雑にすることなく、また接触金具の寸法を長尺にすることなく、電線の引抜き時に鎖錠片が導体線に食い付かないようにし得るランプソケットを提供することを目的とする。
【００２３】
【課題を解決するための手段】
上記課題を解決するための請求項１記載の発明は、複数の接触金具と、これら複数の接触金具をこれらにランプのランプピンを接離自在に収納するハウジングとにより構成されるランプソケットであって、前記接触金具は、弓状に形成され中央部に前記ランプピンを保持するためのランプピン保持部を有する可動ばね片と、この可動ばね片の長手方向の一端から前記ランプピン保持部の裏側にＵ字状に湾曲するばね支点部と、このばね支点部の湾曲する先端からＬ字状に屈曲して先端部が前記可動ばね片と対向する端子板部と、前記ばね支点部に並設されてＵ字状に湾曲する並設部と、この並設部における前記端子板部側の一端からその端子板部の先端部側に突出し、外部から挿入された導体線を前記端子板部の先端部とともに鎖錠する鎖錠片とを一体に有する形状に形成されることを特徴とする。
【００２４】
請求項２記載の発明は、請求項１記載のランプソケットにおいて、前記ランプの回転に応じて前記ランプピンが前記接触金具に接離することを特徴とする。
【００２５】
請求項３記載の発明は、複数の接触金具と、これら複数の接触金具をこれらにランプのランプピンを接離自在に収納するハウジングとにより構成されるランプソケットであって、前記接触金具は、一端部に対して外部から挿入された導体線を挿入するための挿入孔を有する他端部が立設されてなる固定片と、この固定片の一端部からＵ字状に湾曲するばね支点部と、前記固定片の他端部側からこの他端部に対して前記一端部側に傾斜するようにして突出し、前記挿入孔に挿入された導体線を鎖錠する鎖錠片と、前記固定片から前記他端部が立設された方向に切り起こされ前記ランプピンを保持するためのランプピン保持部を有する可動片とを一体に有する形状に形成されることを特徴とする。
【００２６】
請求項４記載の発明は、請求項３記載のランプソケットにおいて、前記接触金具は板状部材からなり、前記ランプピン保持部が前記ランプピンを保持する面と前記挿入孔に挿入された導体線が前記接触金具と当接する面とが前記板状部材の同一面にあることを特徴とする。
【００２７】
請求項５記載の発明は、請求項４記載のランプソケットにおいて、前記板状部材は、クラッド材であり、前記ランプピンを保持する面と前記接触金具と当接する面とが有る側の材質は無い側の材質よりも電気伝導率が高く、その無い側の材質はその有る側の材質よりもばね限界値が高いことを特徴とする。
【００２８】
請求項６記載の発明は、請求項５記載のランプソケットにおいて、前記クラッド材は、銅合金と高弾性材料とによりなることを特徴とする。
【００２９】
請求項７記載の発明は、請求項３から６のいずれかに記載のランプソケットにおいて、前記ランプの回転に応じて前記ランプピンが前記接触金具に接離することを特徴とする。
【００３０】
【発明の実施の形態】
（第１実施形態）
図１は本発明に係る第１実施形態のランプソケットに収納される接触金具の斜視図、図２は同接触金具の具体構成図、図３は同接触金具の特徴的な動作原理の説明図である。
【００３１】
第１実施形態のランプソケットは、ハウジング１１と、回転子１２とを、図１０〜図１５を用いて説明した従来のランプソケットと同様に備えているほか、その従来のランプソケットとの相違点として、図１，図２に示す接触金具１０Ａを複数（一対）備えている。
【００３２】
接触金具１０Ａは、弓状に形成され中央部にランプピンを保持するための凹状のランプピン保持部１００ａを有する可動ばね片１００と、この可動ばね片１００の長手方向の一端からランプピン保持部１００ａの裏側にＵ字状に湾曲するばね支点部１０１と、このばね支点部１０１の湾曲する先端からＬ字状に屈曲して先端部１０２ａが可動ばね片１００の一部と対向する端子板部１０２と、ばね支点部１０１に並設されてＵ字状に湾曲する並設部１０３と、この並設部１０３における端子板部１０２側の一端からその端子板部１０２の先端部１０２ａ側に突出し、外部から挿入された導体線を端子板部１０２の先端部１０２ａとともに鎖錠する鎖錠片１０４とを一体に有する形状に形成されている。
【００３３】
また、図１の例では、並設部１０３の支点部１０１側における湾曲する両端が切り欠かれて接合部１０３ａを形成している。
【００３４】
ただし、端子板部１０２の先端部１０２ａは、並設部１０３側に広がる大きさに設定されている。また、ハウジング１１は、複数の接触金具１０を、これらの可動ばね片１００側を内向きに対向配置して収納した状態で、複数の接触金具１０の外側における可動ばね片１００の他端、ばね支点部１０１と当接する当接部と、並設部１０３における可動ばね片１００側の一端（鎖錠片１０４の無い側の一端）を固定する固定部とをソケットボディ１１０の内部に有しているものとする。
【００３５】
このように構成されるランプソケットでは、図１に示すように、可動ばね片１００のランプピン保持部１００ａに対して矢印の方向に力が加わっても、ばね支点部１０１による反発力は、端子板部１０２の基端部１０２ｂに作用するが、鎖錠片１０４への作用は無くなるかあるいは非常に小さくなる。
【００３６】
より具体的には、図３に示すように、可動片Ｍ１〜Ｍ４が弾性を有するばね材からなり、可動片Ｍ１，Ｍ２と可動片Ｍ３，Ｍ４が接合部Ｍ０で連結されているモデルＭにおいて、図３（ｂ）に示す矢印の方向に力が可動片Ｍ１に加わったとすると、可動片Ｍ２は、フリーである場合には可動片Ｍ１から力を受け止めることはない。他方、可動片Ｍ３が固定されているとすると、可動片Ｍ１からの力が接合部Ｍ０に集中して接合部Ｍ０がねじれた状態に変形するが、可動片Ｍ１からの力は可動片Ｍ４に伝わることはない。また、伝わったとしても軽微である。
【００３７】
このように、可動片Ｍ１が可動ばね片１００に対応し、可動片Ｍ４が鎖錠片１０４に対応することから、可動ばね片１００のランプピン保持部１００ａに対して力が加わっても、鎖錠片１０４への作用は無くなるかあるいは非常に小さくなることが分かる。
【００３８】
以上、第１実施形態によれば、接触金具の形状を複雑にすることなく、また接触金具の寸法を長尺にすることなく、電線の引抜き時に鎖錠片が導体線に食い付かないようにすることができる。
【００３９】
（第２実施形態）
図４は本発明に係る第２実施形態のランプソケットに収納される接触金具の斜視図、図５は同接触金具の具体構成図である。
【００４０】
第２実施形態のランプソケットは、ハウジング１１と、回転子１２とを第１実施形態と同様に備えているほか、第１実施形態との相違点として、図４，図５に示す接触金具１０Ｂを複数備えている。
【００４１】
接触金具１０Ｂは、弓状に形成され中央部にランプピンを保持するための凹状のランプピン保持部１００ａを有する可動ばね片１００と、この可動ばね片１００の長手方向の一端から二股に分かれてランプピン保持部１００ａの裏側にＵ字状に湾曲する一対のばね支点部１０１と、これら一対のばね支点部１０１の湾曲する先端からそれぞれＬ字状に屈曲して一体となる先端部１０２ａが可動ばね片１００の一部と対向する端子板部１０２と、一対のばね支点部１０１間に並設されてＵ字状に湾曲する並設部１０３と、この並設部１０３における端子板部１０２側の一端からその端子板部１０２の先端部１０２ａ側に突出し、外部から挿入された導体線を端子板部１０２の先端部１０２ａとともに鎖錠する鎖錠片１０４とを一体に有する形状に形成されている。
【００４２】
また、図４の例では、並設部１０３の両支点部１０１側における湾曲する両端が切り欠かれて一対の接合部１０３ａを形成している。
【００４３】
このような構成でも、並設部１０３における可動ばね片１００側の一端（鎖錠片１０４の無い側の一端）がソケットボディの固定部で固定されることにより、可動ばね片１００のランプピン保持部１００ａに対して力が加わったとき、鎖錠片１０４への作用が無くなるかあるいは非常に小さくなるので、接触金具の形状を複雑にすることなく、また接触金具の寸法を長尺にすることなく、電線の引抜き時に鎖錠片が導体線に食い付かないようにすることができる。
【００４４】
また、鎖錠片１０４が、プレス成型加工後からランプソケットへ組み込むまでの間、両側の支点部１０１および端子板部１０２によって保護されるので、電線接続の安定性が良くなる。接触金具を単品加工ではなく連続端子としてフープ状に巻き取る場合も同様である。
【００４５】
さらに、ばね支点部１０１が２箇所に分かれているので、１箇所の場合に比べると各々のばね圧を半分に設定でき、接触金具のコンパクト化がはかれる。
【００４６】
（第３実施形態）
図６は本発明に係る第３実施形態のランプソケットに収納される接触金具の斜視図、図７は同接触金具を内部に収納するハウジング等を示す図である。なお、図６（ｂ）は図６（ａ）中のＡ部の拡大図である。
【００４７】
第３実施形態のランプソケットは、図７に示すように、複数の接触金具２０Ａと、これら複数の接触金具２０Ａをこれらにランプのランプピンを接離自在に収納するハウジング２１とにより構成されている。
【００４８】
接触金具２０Ａは、図６に示すように、一端部２００ａに対して外部から挿入された導体線を挿入するための挿入孔２００ｂを有する他端部２００ｃが立設されてなる固定片２００と、この固定片２００の一端部２００ａからＵ字状に湾曲するばね支点部２０１と、固定片２００の他端部２００ｃ側からこの他端部２００ｃに対して一端部２００ａ側に傾斜するようにして突出し、挿入孔２００ｂに挿入された導体線を鎖錠する鎖錠片２０２と、固定片２００からこの他端部２００ｃが立設された方向に切り起こされランプピンを保持するための凹状のランプピン保持部２０３ａを有する可動片２０３とを一体に有する形状に形成されている。
【００４９】
ここで、接触金具２０Ａは板状部材からなり、ランプピン保持部２０３ａがランプピンを保持する面と、挿入孔２００ｂに挿入された導体線が接触金具２０Ａと当接する面とがその板状部材の同一面に位置するようになっている。より具体的には、板状部材は、図６（ｂ）に示すようなクラッド材であり、ランプピンを保持する面と接触金具２０Ａと当接する面とが有る側の部分２０ａの材質は無い側の部分２０ｂの材質よりも電気伝導率が高い例えば銅合金（ハウピッチ銅）であり、無い側の部分２０ｂの材質は有る側の部分２０ａの材質よりもばね限界値が高い例えばステンレスである。
【００５０】
また、ばね支点部２０１には、図６（ａ）に示すように、スリット２０１ａが形成されているので、Ｕ字形状の可動片と同等のばね応力を付与することができる。
【００５１】
ハウジング２１は、複数の接触金具２０Ａを、これらの可動片２０３側を内向きに対向配置して収納した状態で、複数の接触金具２０Ａの外側におけるばね支点部２０１および固定片２００の他端部２００ｃ側と当接する当接部２１ａ，２１ｂ，２１ｃを内部に有している。また、接触金具２０Ａの他端部２００ｃの挿入孔２００ｂに対応する位置には、外部から電線２の導体線２ａを挿入するための電線挿入孔２１ｄが形成されている。さらに、外部からランプのランプピン１ａを挿入するためのＹ字状のランプピン挿入溝２１ｅが形成されている。
【００５２】
なお、図７において、１ａはランプ（直管形蛍光ランプ）のランプピンであり、ランプピン１ａは、ランプの略回転に応じて接触金具２０Ａに接離する。
【００５３】
このような接触金具２０Ａによれば、寸法を大きくすることなく、ランプピン保持部２０３ａがランプピンを保持する面と、挿入孔２００ｂに挿入された導体線が接触金具２０Ａと当接する面とを同一面に位置させることができる。図２０の接触金具５０Ａと比較した場合、固定片２００に対して鎖錠片２０２およびランプピン保持部２０３ａが同じ側にあるので、横幅寸法が小さくなる。異種の材料を貼り合わせたクラッド材を使用した場合は、ランプピンを保持する面と導体線が接触金具２０Ａと当接する面とが同一材料による面となるので、電気的経路をクラッド材の同一面に設定することができる。これにより、従来のばね用りん青銅やばね黄銅等のばね性を有する銅合金材料で構成した導電金具に比べて、銅合金と弾性係数値の高いステンレスとのクラッド材を用いることで強い保持力が得られ、更なるコンパクト化がはかれる。また、板厚については、ばね性を有する銅合金材料よりも銅合金と弾性係数値の高いステンレスとのクラッド材を用いた方が薄板化がはかれる。なお、異種材料を一体化したものはクラッド材に限らず、基材に部分鍍金したものや凹加工した基材に異種金属を埋め込んだインレイ加工でもよく、同様の効果が得られる。
【００５４】
また、固定片２００から可動片２０３が切り起こされるので、図２０の例よりも、材料を節約することができる。
【００５５】
さらに、ランプピンの保持力を微調整する際、ばね支点部２０１のアールの径を変更しなくても、スリット２０１ａの切込み長さの変更などによりその微調整を容易に行える。
【００５６】
なお、ハウジングは、図７に例示したものに限らず、例えば図８に示すようなハウジング２１Ａでもよい。図８において、２１０はグローランプ端子の挿入孔、２１１はグローランプ端子の係合溝部、２１２は電線挿入孔、２１３は爪（器具側の取付板へ嵌め込んで取り付けるためのもの）、２１４は接触金具２０Ａ組込用の切欠部である。
【００５７】
（第４実施形態）
図９は本発明に係る第４実施形態のランプソケットに収納される接触金具の斜視図である。
【００５８】
第４実施形態のランプソケットに収納される接触金具２０Ｂは、図９に示すように、一端部２００ａに対して外部から挿入された導体線を挿入するための挿入孔２００ｂを有する他端部２００ｃが立設されてなる固定片２００と、この固定片２００の一端部２００ａからＵ字状に湾曲するばね支点部２０１と、固定片２００の他端部２００ｃ側からこの他端部２００ｃに対して一端部２００ａ側に傾斜するようにして突出し、挿入孔２００ｂに挿入された導体線を鎖錠する鎖錠片２０２と、固定片２００からこの他端部２００ｃが立設された方向に切り起こされランプピンを保持するためのランプピン保持部２０３ａを有する可動片２０３とを一体に有する形状に形成されている。
【００５９】
なお、２０４は図示しないハウジングに係合する抜止め片である。また、ハウジングについては、複数の接触金具２０Ｂを、これらの可動片２０３側を内向きに対向配置して収納した状態で、例えば、複数の接触金具２０Ｂの外側におけるばね支点部２０１および固定片２００の他端部２００ｃ側と当接する当接部を内部に有する形状に構成される。
【００６０】
このような構造の接触金具２０Ｂでも、寸法を大きくすることなく、ランプピン保持部２０３ａがランプピンを保持する面と、挿入孔２００ｂに挿入された導体線が接触金具２０Ｂと当接する面とを同一面に位置させることができる。
【００６１】
なお、上記各実施形態では、ランプピンは回転されてランプピン保持部に保持される構成になっているが、本発明のランプソケットは、ランプピンがそのまま押し込まれるものであっても構わない。
【００６２】
【発明の効果】
以上のことから明らかなように、請求項１記載の発明は、複数の接触金具と、これら複数の接触金具をこれらにランプのランプピンを接離自在に収納するハウジングとにより構成されるランプソケットであって、前記接触金具は、弓状に形成され中央部に前記ランプピンを保持するためのランプピン保持部を有する可動ばね片と、この可動ばね片の長手方向の一端から前記ランプピン保持部の裏側にＵ字状に湾曲するばね支点部と、このばね支点部の湾曲する先端からＬ字状に屈曲して先端部が前記可動ばね片と対向する端子板部と、前記ばね支点部に並設されてＵ字状に湾曲する並設部と、この並設部における前記端子板部側の一端からその端子板部の先端部側に突出し、外部から挿入された導体線を前記端子板部の先端部とともに鎖錠する鎖錠片とを一体に有する形状に形成されるので、接触金具の形状を複雑にすることなく、また接触金具の寸法を長尺にすることなく、電線の引抜き時に鎖錠片が導体線に食い付かないようにすることができ、解錠作業をスムーズに行える。また、接触金具のコンパクト化がはかれる。
【００６３】
請求項２記載の発明は、請求項１記載のランプソケットにおいて、前記ランプの回転に応じて前記ランプピンが前記接触金具に接離するのであり、この構成でも、接触金具の形状を複雑にすることなく、また接触金具の寸法を長尺にすることなく、電線の引抜き時に鎖錠片が導体線に食い付かないようにすることができる。
【００６４】
請求項３記載の発明は、複数の接触金具と、これら複数の接触金具をこれらにランプのランプピンを接離自在に収納するハウジングとにより構成されるランプソケットであって、前記接触金具は、一端部に対して外部から挿入された導体線を挿入するための挿入孔を有する他端部が立設されてなる固定片と、この固定片の一端部からＵ字状に湾曲するばね支点部と、前記固定片の他端部側からこの他端部に対して前記一端部側に傾斜するようにして突出し、前記挿入孔に挿入された導体線を鎖錠する鎖錠片と、前記固定片から前記他端部が立設された方向に切り起こされ前記ランプピンを保持するためのランプピン保持部を有する可動片とを一体に有する形状に形成されるので、寸法を大きくすることなく、ランプピン保持部がランプピンを保持する面と、挿入孔に挿入された導体線が接触金具と当接する面とを同一面に位置させることができる。
【００６５】
請求項４記載の発明は、請求項３記載のランプソケットにおいて、前記接触金具は板状部材からなり、前記ランプピン保持部が前記ランプピンを保持する面と前記挿入孔に挿入された導体線が前記接触金具と当接する面とが前記板状部材の同一面にあるので、寸法を大きくすることなく、ランプピン保持部がランプピンを保持する面と、挿入孔に挿入された導体線が接触金具と当接する面とを板状部材の同一面に位置させることができる。
【００６６】
請求項５記載の発明は、請求項４記載のランプソケットにおいて、前記板状部材は、クラッド材であり、前記ランプピンを保持する面と前記接触金具と当接する面とが有る側の材質は無い側の材質よりも電気伝導率が高く、その無い側の材質はその有る側の材質よりもばね限界値が高いので、接触金具の電気伝導率およびばね限界値の両方を高くすることができる。
【００６７】
請求項６記載の発明は、請求項５記載のランプソケットにおいて、前記クラッド材は、銅合金と高弾性材料とによりなるので、接触金具の電気伝導率およびばね限界値の両方を高くすることができる。
【００６８】
請求項７記載の発明は、請求項３から６のいずれかに記載のランプソケットにおいて、前記ランプの回転に応じて前記ランプピンが前記接触金具に接離するのであり、この構成でも、寸法を大きくすることなく、ランプピン保持部がランプピンを保持する面と、挿入孔に挿入された導体線が接触金具と当接する面とを同一面に位置させることができる。
【図面の簡単な説明】
【図１】本発明に係る第１実施形態のランプソケットに収納される接触金具の斜視図である。
【図２】同接触金具の具体構成図である。
【図３】同接触金具の特徴的な動作原理の説明図である。
【図４】本発明に係る第２実施形態のランプソケットに収納される接触金具の斜視図である。
【図５】同接触金具の具体構成図である。
【図６】本発明に係る第３実施形態のランプソケットに収納される接触金具を示す図である。
【図７】同接触金具を内部に収納するハウジング等を示す図である。
【図８】別のランプソケットのハウジングの例を示す図である。
【図９】本発明に係る第４実施形態のランプソケットに収納される接触金具の斜視図である。
【図１０】従来のランプソケットに収納される接触金具の斜視図である。
【図１１】同接触金具の具体構成図である。
【図１２】同接触金具を内部に収納するハウジング等を示す図である。
【図１３】同接触金具を内部に収納するハウジング等を示す図である。
【図１４】同接触金具の動作説明図である。
【図１５】同接触金具の動作説明図である。
【図１６】別の従来のランプソケットを示す図である。
【図１７】別の従来のランプソケットを示す図である。
【図１８】別の従来のランプソケットに収納される接触金具の斜視図である。
【図１９】別の従来の接触金具の斜視図である。
【図２０】別の従来の接触金具の斜視図である。
【符号の説明】
１０Ａ　接触金具
１００　可動ばね片
１０１　ばね支点部
１０２　端子板部
１０４　鎖錠片
１１　ハウジング
１１０　ソケットボディ
１１１　ソケットカバー
１２　回転子
２０Ａ，２０Ｂ　接触金具
２００　固定片
２０１　ばね支点部
２０２　鎖錠片
２０３　可動片
２１，２１Ａ　ハウジング
【図１】
2004087293.tif 000003
【図２】
2004087293.tif 000004
【図３】
2004087293.tif 000005
【図４】
2004087293.tif 000006
【図５】
2004087293.tif 000007
【図６】
2004087293.tif 000008
【図７】
2004087293.tif 000009
【図８】
2004087293.tif 000010
【図９】
2004087293.tif 000011
【図１０】
2004087293.tif 000012
【図１１】
2004087293.tif 000013
【図１２】
2004087293.tif 000014
【図１３】
2004087293.tif 000015
【図１４】
2004087293.tif 000016
【図１５】
2004087293.tif 000017
【図１６】
2004087293.tif 000018
【図１７】
2004087293.tif 000019
【図１８】
2004087293.tif 000020
【図１９】
2004087293.tif 000021
【図２０】
2004087293.tif 000022